(57)【要約】  情報表示装置において、個々のブックマークでなくグループを選択するだけでグループ内の複数のブックマークのＵＲＬに一度にアクセスし、ブックマークごとに記憶されている表示ウィンドウに関する情報にしたがって表示する。  情報表示装置１は、ブックマークを記憶しておく記憶手段５と、ブックマークをグループとして記憶し併せて各ウェブサイトの情報を表示するウィンドウの表示位置と表示サイズ等を記憶しておくグループ登録手段６と、グループ登録されたブックマークを選択する選択手段７を有する。操作者が選択手段７によりグループを選択するだけで情報表示装置１は、登録されたブックマークのＵＲＬに一度にアクセスし、得られたデータをブックマークごとに記憶されている表示ウィンドウの位置及びサイズにて、表示手段４に表示する。
2008111434.tif 000002
【特許請求の範囲】
【請求項１】
ウェブサイトのＵＲＬをブックマークとして記憶しておく記憶手段と、
複数のブックマークをグループとして登録するグループ登録手段と、
操作者があるグループを選択すると該グループに属するすべてのブックマークを選択する選択手段と、
ウェブサイトにアクセスして該ウェブサイトからデータを取得する通信手段と、
該通信手段が取得したデータを表示する表示手段と、を有し、
前記選択手段によりあるグループが選択されると、
前記通信手段は、前記グループに属するすべてのブックマークのＵＲＬが示すウェブサイトにアクセスしてデータを取得し、
前記表示手段は、取得したすべてのデータを、前記グループ登録手段に登録されている表示ウィンドウの表示位置及び表示サイズにしたがって、表示することを特徴とする情報表示装置。
【請求項２】
前記グループ登録手段は、ブックマークを、該ブックマークのＵＲＬが示すウェブサイトから取得したデータを前記表示手段が表示した際の表示ウィンドウの表示位置及び表示サイズとともに、登録しておくことを特徴とする請求項１記載の情報表示装置。
【請求項３】
前記グループ登録手段は、ブックマークを、該ブックマークのＵＲＬが示すウェブサイトからデータを取得する際のデータ取得順番の優先順位とともに、登録しておき、
前記通信手段は、前記選択手段によりあるグループが選択されると、該グループに属するすべてのブックマークについて、登録されている優先順位にしたがって順番に、ブックマークのＵＲＬが示すウェブサイトからデータを取得することを特徴とする請求項１又は２記載の情報表示装置。
【請求項４】
前記表示手段は、前記通信手段によりブックマークのＵＲＬが示すウェブサイトからデータが取得され次第、順次表示していくことを特徴とする請求項３記載の情報表示装置。
【請求項５】
前記グループ登録手段によるグループ登録の際に、
前記表示手段は、前記記憶手段が記憶するブックマークの一覧を表示し、
前記グループ登録手段は、操作者がグループ登録を所望するブックマークを指定することでグループ化することを特徴とする請求項１から４のいずれか１項記載の情報表示装置。
【請求項６】
前記グループ登録手段は、グループ登録の際に、前記記憶手段に記憶されているブックマークに代えて、ウェブサイトのＵＲＬの直接入力によって作成されたブックマークをグループ登録することを特徴とする請求項１から５のいずれか１項記載の情報表示装置。
【発明の詳細な説明】
【技術分野】
【０００１】
本発明は、情報表示装置に関し、特に、通信手段によりウェブサイト等から得た情報を表示する情報表示装置に関する。
【背景技術】
【０００２】
パソコンや携帯端末を使ってウェブサイトのデータの閲覧を行う際に、天気予報、経済情報、スポーツ情報など複数のウェブサイトの情報の閲覧が必要となることも多い。【０００３】
しかしながら、これまで複数のウェブサイトにアクセスするときには、その数だけブックマークを選択する必要があり、登録されているブックマークが多いときには多数の中から該当するブックマークを探し出すことも必要であった。【０００４】
また、複数のウェブサイトのデータを１画面で表示するときには、データ取得のたびに各ウィンドウのサイズを行う必要があった。【０００５】
さらに、ウェブサイトの情報を取得する際、取得するデータが大きい場合や通信速度が小さい場合などにはデータ取得に時間を有し、アクセスしたウェブサイトすべての情報を取り終わるまでいずれのウェブサイトの情報も十分に閲覧できず、データ取得の間、その完了を待っている必要があった。【０００６】
上述の、複数のウェブサイトのデータを１画面で表示する従来技術については、例えば、特許文献１−３に開示されているものがある。これらは、ある一つのウィンドウ内でのサムネイルのような情報の表示を行うものである。【０００７】
また、別々のウィンドウで情報の表示を行うものについては、例えば、特許文献４に開示されているものがある。
【特許文献１】再特ＷＯ０１／０６３４７３号公報
【特許文献２】特開２００１−０９２７４８号公報
【特許文献３】特開２００２−１９６９７０号公報
【特許文献４】特開２００４−１１８２７２号公報
【発明の開示】
【発明が解決しようとする課題】
【０００８】
しかしながら、上記従来技術は、次のような問題点があった。【０００９】
特許文献１−３に開示された従来技術は、ある一つのウィンドウ内でサムネイルのような情報の表示を行うものであって、表示内容は通常のウィンドウではないため、中身を確認するためにはこのウィンドウから独立ウィンドウを開くことが必要となる。【００１０】
特許文献４に開示された従来技術は、複数の独立ウィンドウを開いて表示するものではあるが、位置の指定をして表示する構成については全く記載がないため、例えば、特許文献４の図１０に示されているようにウィンドウが重なり、視認性が悪いという問題点があった。【００１１】
そこで本発明は、上記従来技術の問題点に鑑みて、情報表示装置において、個々のブックマークでなくグループを選択するだけでグループ内の複数のブックマークのＵＲＬに一度にアクセスし、ブックマークごとに記憶されている表示ウィンドウに関する情報にしたがって表示することを目的とする。
【課題を解決するための手段】
【００１２】
上記目的を達成するための請求項１記載の発明は、ウェブサイトのＵＲＬをブックマークとして記憶しておく記憶手段と、複数のブックマークをグループとして登録するグループ登録手段と、操作者があるグループを選択すると該グループに属するすべてのブックマークを選択する選択手段と、ウェブサイトにアクセスして該ウェブサイトからデータを取得する通信手段と、該通信手段が取得したデータを表示する表示手段と、を有し、前記選択手段によりあるグループが選択されると、前記通信手段は、前記グループに属するすべてのブックマークのＵＲＬが示すウェブサイトにアクセスしてデータを取得し、前記表示手段は、取得したすべてのデータを、前記グループ登録手段に登録されている表示ウィンドウの表示位置及び表示サイズにしたがって、表示することを特徴とする情報表示装置である。【００１３】
請求項２記載の発明は、請求項１記載の情報表示装置において、前記グループ登録手段は、ブックマークを、該ブックマークのＵＲＬが示すウェブサイトから取得したデータを前記表示手段が表示した際の表示ウィンドウの表示位置及び表示サイズとともに、登録しておくことを特徴とする。【００１４】
請求項３記載の発明は、請求項１又は２記載の情報表示装置において、前記グループ登録手段は、ブックマークを、該ブックマークのＵＲＬが示すウェブサイトからデータを取得する際のデータ取得順番の優先順位とともに、登録しておき、前記通信手段は、前記選択手段によりあるグループが選択されると、該グループに属するすべてのブックマークについて、登録されている優先順位にしたがって順番に、ブックマークのＵＲＬが示すウェブサイトからデータを取得することを特徴とする。【００１５】
請求項４記載の発明は、請求項３記載の情報表示装置において、前記表示手段は、前記通信手段によりブックマークのＵＲＬが示すウェブサイトからデータが取得され次第、順次表示していくことを特徴とする。【００１６】
請求項５記載の発明は、請求項１から４のいずれか１項記載の情報表示装置において、前記グループ登録手段によるグループ登録の際に、前記表示手段は、前記記憶手段が記憶するブックマークの一覧を表示し、前記グループ登録手段は、操作者がグループ登録を所望するブックマークを指定することでグループ化することを特徴とする。【００１７】
請求項６記載の発明は、請求項１から５のいずれか１項記載の情報表示装置において、前記グループ登録手段は、グループ登録の際に、前記記憶手段に記憶されているブックマークに代えて、ウェブサイトのＵＲＬの直接入力によって作成されたブックマークをグループ登録することを特徴とする。
【発明の効果】
【００１８】
本発明によれば、情報表示装置において、個々のブックマークでなくグループを選択するだけでグループ内の複数のブックマークのＵＲＬに一度にアクセスし、ブックマークごとに記憶されている表示ウィンドウに関する情報にしたがって表示することが可能となる。
【発明を実施するための最良の形態】
【００１９】
以下、本発明の好適な実施の形態について説明する。まず、本実施形態の概要について説明する。【００２０】
本実施形態による「複数ウェブサイトへの簡易アクセス手段」は、パーソナルコンピュータ（以下、パソコン）や携帯端末装置（以下、携帯端末）に搭載しているブラウジング用ビューア（以下、ブラウザ）にてインターネットのウェブサイトにアクセスする場合に、アクセスする複数のＵＲＬのブックマーク（「しおり」として記憶しておく機能）をグループ化することによりアクセスにおける操作性を改善するものである。【００２１】
ウェブサイトは非常に数多く存在し、通常、再度アクセスしたいウェブサイトについては、そのＵＲＬをブックマークとして登録しておくが、アクセスしたいウェブサイトが複数ある時にはそのウェブサイトの数だけブックマークを選択する操作が必要である。例えば、朝起きたときに天気予報、経済情報、スポーツ情報を見るためにパソコンや携帯端末のブラウザを使ってウェブサイトにアクセスする場合には、該当するブックマーク計３件を選択する必要がある。【００２２】
以下で詳述する本実施形態では、アクセスしたい複数のウェブサイトのブックマークをグループ登録することにより個々のブックマークでなくグループを選択するだけでグループ内の複数のブックマークのＵＲＬに一度にアクセスすることが可能となる。【００２３】
また、グループの情報として各ウェブサイトの情報を表示するウィンドウの表示位置と表示サイズを記憶しておくことにより、グループ登録の操作を行ったときの各ウィンドウの状態を再現できる。【００２４】
さらに、ウェブサイトの情報を取得するときにはデータ取得に時間を要するが、グループの情報としてデータ取得順番の優先順位を記憶しておくことにより、優先順位の高いデータを優先して取得し、次に優先順位の高いデータを取得している間に取得済みのデータを閲覧することができるため、使用者の実質的なデータ取得待ち時間（データ閲覧できずにデータ取得を待っているだけの時間）を短縮することが可能となる。【００２５】
すなわち、本実施形態は、アクセスしたい複数のウェブサイトのブックマークをグループ化することにより、そのグループを選択したときにそれに含まれる複数のブックマークのＵＲＬに一度にアクセスすることを可能とし、グループの情報として各ウェブサイトの情報を表示するウィンドウの表示位置と表示サイズを記憶しておくことにより、グループ化の操作を行ったときの各ウィンドウの状態を再現でき、グループの情報としてデータ取得順番の優先順位を記憶しておくことにより、優先順位の高いデータを優先して取得し、次の優先順位のデータを取得している間に取得済みのデータを閲覧することで使用者の実質的なデータ取得待ち時間を短縮することを可能とする「複数ウェブサイトへの簡易アクセス手段」である。【００２６】
以上で、本実施形態の概要についての説明を終え、以下で、本実施形態の構成について図面を参照して詳述する。図１を参照すると、本実施形態の構成が示されている。【００２７】
図１において、情報表示装置１は、インターネットのウェブサイト２にアクセスしそのウェブサイト２からデータを取得する通信手段３と、取得したデータを表示するブラウザを含む表示手段４と、アクセスしたウェブサイトのＵＲＬとタイトル情報を持つブックマークを記憶しておく記憶手段５と、ブックマークをグループとして記憶し併せて各ウェブサイトの情報を表示するウィンドウの表示位置と表示サイズ、アクセス時のデータ取得順番の優先順位、及びグループのタイトル情報を記憶しておくグループ登録手段６と、ブックマークやグループ登録されたブックマークを選択する選択手段７を有する。【００２８】
上記構成を備える本実施形態は、下記のように動作する。【００２９】
１．ブックマークのグループ登録操作と登録内容
本実施形態におけるブックマークのグループ登録操作と登録内容につき、図２及び図３を参照して説明する。【００３０】
パソコンや携帯端末に搭載されているブラウザを起動し（Ｓ２０１）、グループ登録したいブックマークのうちの１件を選択してそのＵＲＬのウェブサイトにアクセスしデータを取得し、取得したデータをブラウザにて表示させる（Ｓ２０２）。データを取得し終わったら（Ｓ２０３）、データ取得済みのブックマークとは別のブックマーク１件を選択してウェブサイトにアクセスしデータ取得する。その際、ブラウザでは取得済みのデータとは別のウィンドウにてデータを表示する（Ｓ２０４）。この操作を、グループ登録したいブックマークすべてに対して実施する（Ｓ２０５、Ｓ２０６）。【００３１】
次に、複数のウィンドウにデータが表示されている状態で、おのおののウィンドウの表示位置と表示サイズを調整する（Ｓ２０７）。【００３２】
ウィンドウの表示位置とサイズの調整が完了したら、グループ登録操作を行い（Ｓ２０８）、ブックマークをグループとして登録する。登録操作時、次回ブックマークのグループを使用する際のデータ取得順番の優先順位を指定し、それも併せて登録する（Ｓ２０９、Ｓ２１０）。【００３３】
前述の操作にてブックマークのグループ登録が完了するが、グループとして登録されるデータはブックマークのタイトル、ＵＲＬ、ウィンドウの表示位置、表示サイズ、アクセス時のデータ取得順番の優先順位、及びグループとしてのタイトルである（図３）。【００３４】
２．グループ登録したブックマークを使ったウェブサイトへのアクセス操作と動作
本実施形態におけるグループ登録したブックマークを使ったウェブサイトへのアクセス操作と動作につき、図４を参照して説明する。【００３５】
パソコンや携帯端末に搭載されているブラウザを起動し（Ｓ４０１）、グループ登録したブックマークを選択する（Ｓ４０２）。選択後にウェブサイトからのデータ取得動作を開始するが、その際、データ取得順番の優先順位の最も高いブックマークのＵＲＬにアクセスしウェブサイトからデータ取得する（Ｓ４０３）。データ取得が完了したら（Ｓ４０４）、記憶されているウィンドウの位置、サイズに基づいてブラウザにて取得データを表示する（Ｓ４０５）。【００３６】
続けて、次にデータ取得順番の優先順位の高いブックマークのＵＲＬにアクセスし（Ｓ４０６）、データ取得が完了したら（Ｓ４０７）同じく記憶されているウィンドウの位置、サイズに基づいてブラウザにて取得データを表示する（Ｓ４０８）。この動作をグループ登録されているブックマークすべてのデータ取得が完了するまで継続する（Ｓ４０９、Ｓ４１０）。【００３７】
以上で本実施形態の動作の説明を終える。なお、本発明は上記実施形態に限定されるものではなく、例えば、以下のようにしても実施できる。【００３８】
前述の「１．ブックマークのグループ登録操作と登録内容」では、記憶してあるブックマークを使いウェブサイトにアクセスし、その後グループ化を行う操作を行っているが、ウェブサイトのアクセスにおいてはそのＵＲＬを直接入力してアクセスし、その後にグループ化を行ってもよい。【００３９】
また、グループ登録操作において、ウェブサイトにアクセスせず、記憶してあるブックマークの一覧を表示し、グループ登録したいブックマークを指定することでグループ化することでもよい。【００４０】
上記実施形態の効果を説明する。【００４１】
複数のウェブサイトに一度にアクセスしたいときに、従来ではブックマークの選択操作をその数だけ行う必要があったが、上記本実施形態によれば、グループの選択操作１つで操作できるため、操作性の改善を図ることができる。【００４２】
また、上記実施形態によれば、独立したウィンドウごとに位置及び大きさを指定するため、表示後すぐにすべてのウィンドウを所望の表示状態にすることができる。また、グループ登録の操作を行ったときの各ウィンドウの状態を再現できるため、アクセスするたびに必要であった複数のウィンドウの表示位置や表示サイズの調整が不要となる。【００４３】
さらに、優先順位の高いデータを優先して取得するため、取得済みのデータを閲覧している間にそれ以外のデータ取得を行うことでデータ取得のための待ち時間を短縮することができる。【００４４】
なお、この出願は、２００７年３月８日に出願した、日本特許出願番号２００７−０５９２１９号を基礎とする優先権を主張し、その開示の全てをここに取り込む。
【図面の簡単な説明】
【００４５】
【図１】本発明による実施形態の構成を示すブロック図である。
【図２】本発明による実施形態のグループ登録操作に関する動作を示すフローチャート図である。
【図３】本発明による実施形態のグループとして記憶するデータテーブルの一例を示す図である。
【図４】本発明による実施形態のアクセス操作に関する動作を示すフローチャート図である。
【符号の説明】
【００４６】
１    情報表示装置
２    ウェブサイト
３    通信手段
４    表示手段
５    記憶手段
６    グループ登録手段
７    選択手段
【図１】
2008111434.tif 000003
【図２】
2008111434.tif 000004
【図３】
2008111434.tif 000005
【図４】
2008111434.tif 000006
【国際調査報告】
2008111434.tif 000007
2008111434.tif 000008